(57)【特許請求の範囲】
【請求項１】
下端にフック部（１１１）を有し上端部から中央部にかけてスライド穴（１１３）を有するフック部材（１１０）と、下端部に側面にて開口する中空部（１３１）を有し中央部正面にピン取付穴（１３２）を有する把持部材（１３０）と、上記ピン取付穴（１３２）に上記スライド穴（１１３）を貫通して取り付けられるピン（１５０）とからなり、上記把持部材（１３０）に対して上記フック部材（１１０）は上記ピン（１５０）及び上記スライド穴（１１３）を介して回動及びスライドが可能であり、上記ピン（１５０）の位置を上記フック部材（１１０）の中央部に合わせて上記フック部材（１１０）を上記把持部材（１３０）と平行に重なる位置に回動させた時上記フック部（１１１）が上記中空部（１３１）に収納されることを特徴とする紐締め作業のための携帯用補助具。
【請求項２】
下端にフック部（２１１）を有し上端部に回動穴（２１３）を有するフック部材（２１０）と、側面にて開口する中空部（２３１）を有し中央部正面にピン取付穴（２３２）を有する把持部材（２３０）と、上記中空部（２３１）に上記フック部材（２１０）が挿入されて上記ピン取付穴（２３２）と上記回動穴（２１３）とを回動可能に保持するピン（２５０）とからなり、上記フック部材（２１０）を上記把持部材（２３０）と平行に重なる位置に回動させた時上記フック部材（２１０）が上記中空部（２３１）に収納されることを特徴とする紐締め作業のための携帯用補助具。
【請求項３】
下端にフック部（３１１）を有し上端部に回動穴（３１３）を有するフック部材（３１０）と、左側面にて開口する右中空部（３３１）を有し上端部に回動接合部（３３２）を有する右把持部材（３３０）と、右側面にて開口する左中空部（３４１）を有し上端部に回動接合部（３４２）を有する左把持部材（３４０）と、上記右把持部材（３３０）の左側面と上記左把持部材（３４０）の右側面とを向い合わせ上記右把持部材（３３０）の回動接合部（３３２）と上記左把持部材（３４０）の回動接合部（３４２）との間に上記フック部材（３１０）の上端部を挟んで当該回動接合部（３３２、３４２）と上記回動穴（３１３）とを回動可能に保持するピン（３５０）とからなり、上記フック部材（３１０）と上記右把持部材（３３０）及び上記左把持部材（３４０）とを平行に重なる位置に回動させた時上記フック部材（３１０）が上記右中空部（３３１）及び上記左中空部（３４１）に収納されることを特徴とする紐締め作業のための携帯用補助具。
【請求項４】
右把持部材（３３０）の中央部に右側面側に膨らむ右曲折部（３３３）が設けられ、左把持部材（３４０）の中央部に左側面側に膨らむ左曲折部（３４３）が設けられたことを特徴とする請求項３に記載の紐締め作業のための携帯用補助具。
【請求項５】
下端にフック部（４１１）を有し上端部に回動穴（４１３）を有するフック部材（４１０）と、把持部（４３３）と該杷持部の中央部から垂直に設けられるフック部材保護部（４３４）とを有し該フック部材保護部（４３４）が側面にて開口する中空部（４３１）を有しかつ下端部にピン取付穴（４３２）を有する把持部材（４３０）と、上記ピン取付穴（４３２）と上記回動穴（４１３）とを回動可能に保持するピン（４５０）とからなり、上記フック部材（４１０）を上記フック部材保護部（４３４）と平行に重なる位置に回動させた時上記フック部材（４１０）が上記中空部（４３１）に収納されることを特徴とする紐締め作業のための携帯用補助具。
【請求項６】
下端にフック部（５１１）を有し上端部に軸部（５１２）を有するフック部材（５１０）と、把持部（５３３）と該杷持部の中央部から垂直に設けられるフック部材保護部（５３４）とを有し該フック部材保護部（５３４）の下端部から上記把持部（５３３）の中央部にかけてスライド穴（５３１）を有する把持部材（５３０）とからなり、上記フック部材（５１０）の軸部（５１２）を上記把持部材（５３０）のスライド穴（５３１）に摺動自在に収容し、当該スライド穴（５３１）を介してピン（５５０）によって両者を結合し、上記ピン（５５０）の位置を上記スライド穴（５３１）の上端に合わせた時上記フック部材（５１０）が上記フック部材保護部（５３４）にて保護されることを特徴とする紐締め作業のための携帯用補助具。
【請求項７】
フック部材（１１０，２１０，３１０，４１０，５１０）及び把持部材（１３０，２３０，３３０，３４０，４３０，５３０）がプラスチック成形品であることを特徴とする請求項１から６のいずれかに記載の紐締め作業のための携帯用補助具。
【発明の詳細な説明】
【０００１】
【産業上の利用分野】
本発明は、紐締め作業のための携帯用補助具に関し、より詳細には紐を締める作業のためのフック部と把持部とを有する携帯用補助具に関するものである。
【０００２】
【従来の技術】
例えば、寒冷地において靴、特にブーツ等のように幾重にも交差している紐を閉締める作業は、通常は手袋をしていることが多いので手先を器用に動かすことができない。このため、手袋をしたままで紐を締める作業ができる補助具、しかも容易に持ち歩ける携帯用の補助具の実現が望まれていたが、かかる要望を満たすものは存在していなかった。
【０００３】
【発明が解決しようとする課題】
本発明が解決しようとする課題は、手袋等を装着したままでも紐を締める作業が容易に行え、作業しないときにはフック部が隠蔽されたコンパクトな形態に変形でき、取り扱いが容易で携帯に便利な紐締め作業のための携帯用補助具を提供することを目的としている。
【０００４】
【課題を解決するための手段】
本発明において課題を解決するための第１の手段は、下端にフック部を有し上端部から中央部にかけてスライド穴を有するフック部材と、下端部に側面にて開口する中空部を有し中央部正面にピン取付穴を有する把持部材と、上記ピン取付穴に上記スライド穴を貫通して取り付けられるピンとからなり、上記把持部材に対して上記フック部材は上記ピン及び上記スライド穴を介して回動及びスライドが可能であり、上記ピンの位置を上記フック部材の中央部に合わせて上記フック部材を上記把持部材と平行に重なる位置に回動させた時上記フック部が上記中空部に収納されることを特徴とする。
【０００５】
あるいは、第２の手段が、下端にフック部を有し上端部に回動穴を有するフック部材と、側面にて開口する中空部を有し中央部正面にピン取付穴を有する把持部材と、上記中空部に上記フック部材が挿入されて上記ピン取付穴と上記回動穴とを回動可能に保持するピンとからなり、上記フック部材を上記把持部材と平行に重なる位置に回動させた時上記フック部材が上記中空部に収納されることを特徴とする。
【０００６】
あるいは、第３の手段が、下端にフック部を有し上端部に回動穴を有するフック部材と、左側面にて開口する右中空部を有し上端部に回動接合部を有する右把持部材と、右側面にて開口する左中空部を有し上端部に回動接合部を有する左把持部材と、上記右把持部材の左側面と上記左把持部材の右側面とを向い合わせ上記右把持部材の回動接合部と上記左把持部材の回動接合部との間に上記フック部材の上端部を挟んで重ねて当該回動接合部と上記回動穴とを回動可能に保持するピンとからなり、上記フック部材と上記右把持部材及び上記左把持部材とを平行に重なる位置に回動させた時上記フック部材が上記右中空部及び上記左中空部に収納されることを特徴とする。
【０００７】
又、第４の手段が、下端にフック部を有し上端部に回動穴を有するフック部材と、把持部と該杷持部の中央部から垂直に設けられるフック部材保護部とを有し該フック部材保護部が側面にて開口する中空部を有しかつ下端部にピン取付穴を有する把持部材と、上記ピン取付穴と上記回動穴とを回動可能に保持するピンとからなり、上記フック部材を上記フック部材保護部と平行に重なる位置に回動させた時上記フック部材が上記中空部に収納されることを特徴とする。
【０００８】
あるいは又、第５の手段が、下端にフック部を有し上端部に軸部を有するフック部材と、棒状の把持部と該杷持部の中央部から垂直に設けられるフック部材保護部とを有し該フック部材保護部の下端部から上記把持部の中央部にかけてスライド穴を有する把持部材とからなり、上記フック部材の軸部を把持部材のスライド穴に摺動自在に収容し、当該スライド穴を介してピンによって両者を結合し、上記ピンの位置を上記スライド穴の上端に合わせた時上記フック部材が上記フック部材保護部にて保護されることを特徴とする。
【０００９】
【実施の形態】
第１実施例
図１及び図２は請求項１に対応する第１実施例を示す図であり、１１０はフック部材、１３０は把持部材であって、これらはプラスチック成形品である。
【００１０】
フック部材１１０は、下端にフック部１１１及びフック部補強部１１２が設けられ、上端部から中央部にかけてスライド穴１１３が設けられている。本実施例ではフック部１１１の形状を鉤形としているが、フック部１１１の形状はこれに限られるものではない。又、本実施例ではスライド穴１１３は長孔としている。さらに、携帯時の形態保持のためにフック部材１１０の下端近くに係合凹部１１５が設けられ、これに対応する把持部材１３０に係合突起１３５が設けられている。
【００１１】
把持部材１３０は、下端部に側面に向って開口するフック部１１１収納のための中空部１３１が設けられ、中央部正面にはピン取付穴１３２が設けられている。本実施例の把持部材１３０は模様が刻設された棒形状であるが、使用者が把持し易くかつコンパクトな形態であれば、形状は限定されるものではない。
【００１２】
ピン１５０は、頭部付きの通常の円筒ピンで、フック部材１１０のスライド穴１１３を貫通して把持部材１３０のピン取付穴１３２に固定されているが、スライド穴１１３とは摺動可能である。従って、把持部材１３０に対してフック部材１１０はピン１５０及びスライド穴１１３を介して回動及びスライドが可能である。
【００１３】
この他、把持部材１３０には係合環１７０が設けられており、本実施例を紐などを利用してバッグ等に連結できる。
【００１４】
本実施例は携帯時においては、図１に示すように、ピン１５０の位置をフック部材１１０の中央部に合わせてフック部材１１０を把持部材１３０と平行に重なる位置に回動させてフック部１１１が中空部１３１に収納された形態とする。この時、係合突起１３５と係合凹部１１５が互いに係合して図示した形態を保持している。
【００１５】
フック部１１１は中空部１３１によって隠蔽されるので、取り扱いに危険はない。又、フック部材１１０が把持部材１３０と平行に重ねてあるので、全体の形態もコンパクトで携帯に便利である。
【００１６】
本実施例を使用するには、図２に示すように、フック部材１１０が把持部材１３０と直交する位置に回動させ（第２図Ａ）、ピン１５０の位置がフック部材１１０の上端部にくるようにスライド穴１１３をスライドさせて全体をＴ字型とする（第２図Ｂ）。かかる形態において、使用者は把持部材１３０を掴みフック部１１１を紐にかけて作業する。
【００１７】
把持部材１３０はフック部１１１に対しＴ字型に広げられるので、使用者は取り扱いが容易で、特に大きな力を必要とする時でも手が滑ることが無い。
【００１８】
第２実施例
図３及び図４は請求項２に対応する第２実施例を示す図であり、２１０はフック部材、２３０は把持部材であり、プラスチックの成形品である。
【００１９】
フック部材２１０は、下端にフック部２１１が設けられ、上端部に回動穴２１３が設けられている。本実施例のフック部材２１０の下端寄りの中央部には、携帯時の形態保持のための係合突起２１５が設けられている。尚、本実施例では、フック部２１１の形状を鉤形としているが、フック部２１１の形状はこれに限られるものではない。
【００２０】
把持部材２３０は、側面に向って開口するフック部材２１０収納のための中空部２３１が設けられ、中央部正面にはピン取付穴２３２が設けられている。ここでいう中央部正面とは端部でない部分の正面という意味であり、本実施例ではピン取付穴２３２はかなり上端寄りに設けられている。又、本実施例では、中空部２３１は両側面共に開口して設けられている。さらに、本実施例の把持部材２３０の下端寄りの中央部には、フック部材２１０の係合突起２１５と対応する位置に係合穴２３５が設けられている。この他、把持部材２３０にはフック部材の取付位置に隣接して係合環２７０が設けられている。
【００２１】
ピン２５０は、頭部付きの通常の円筒ピンで、把持部材２３０の中空部２３１にフック部材２１０を挿入しピン取付穴２３２と回動穴１１３とを位置合わせした状態で、これらを回動可能に保持している。本実施例では、ピン２５０は把持部材２３０の後面まで貫通させ後面側にも頭部を設けている。
【００２２】
本実施例は携帯時においては、図３に示すように、フック部材１１０を把持部材１３０と平行に重なる位置に回動させてフック部材２１０が中空部２３１に収納された形態とする。この時、フック部材２１０の係合突起２１５が把持部材２３０の係合穴２３５と係合して図示した形態を保持している。
【００２３】
本実施例を使用するには、図４に示すように、フック部材２１０が把持部材２３０と直交する位置に回動させて全体をＴ字型とする。
【００２４】
本実施例においても、第１実施例と同様の効果が得られる。
【００２５】
第３実施例
図５及び図６は請求項３及び請求項４に対応する第３実施例を示す図であり、３１０はフック部材、３３０は右把持部材、３４０は左把持部材であり、何れもプラスチック成形品である。
【００２６】
フック部材３１０は、下端にフック部３１１が設けられ、上端部に回動穴３１３が設けられている。本実施例では、フック部３１１の形状を鉤形としているが、フック部３１１の形状はこれに限られるものではない。
【００２７】
右把持部材３３０は、左側面にて開口するフック部材３１０収納のための右中空部３３１が設けられ、上端部には回動接合部３３２が設けられている。左把持部材３４０は、右側面にて開口するフック部材３１０収納のための左中空部３４１が設けられ、上端部には回動接合部３４２が設けられている。又、右把持部材３３０の中央部には右側面側に膨らむ右曲折部３３３が設けられ、左把持部材３４０の中央部には左側面側に膨らむ左曲折部３４３が設けられている。本実施例では、回動接合部３３２と回動接合部３４２とは、これらの間にフック部材３１０の上端部を挟んだ構成としている。又、本実施例では右把持部材３３０の左側面に係合突起３３５が設けられ、これと対応する左把持部材３４０の右側面に係合凹部３３６が設けられている。
【００２８】
ピン３５０は、頭部付きの通常の円筒ピンで、右把持部材３３０の左側面と左把持部材３４０の右側面とを向い合わせ回動接合部３３２及び３４２の間にフック部材３１０の上端部を挟んだ状態で回動接合部３３２及び３４２と回動穴３１３とを回動可能に保持する。本実施例では、ピン３５０は把持部材の後面まで貫通させ後面側にも頭部を設けている。
【００２９】
本実施例には、第１実施例と同様に係合環３７０が設けられており、本実施例をバッグ等に係合できる。
【００３０】
本実施例は携帯時においては、図５に示すように、フック部材３１０と右把持部材３３０及び左把持部材３４０とを平行に重なる位置に回動させてフック部材３１０が右中空部３３１及び左中空部３４１に収納された形態とする。この時、右把持部材の係合突起３３５が左把持部材３４０の係合凹部３３６と係合し図示した形態を保持している。
【００３１】
本実施例を使用するには、図６に示すように、右把持部材３３０及び左把持部材３４０をそれぞれフック部材３１０と直交する位置に回動させて全体をＴ字型とする。フック部材３１０を回動させる際に、右曲折部３３３及び左曲折部３７によって形成される空隙からフック部材３１０を押し出すと便利である。
【００３２】
本実施例においても、第１実施例と同様の効果が得られる。
【００３３】
第４実施例
図７及び図８は請求項５に対応する第４実施例を示す図であり、４１０はフック部材を示しており、これらはプラスチックの成形品である。
【００３４】
フック部材４１０は、フック部４１１とフック部補強部４１２とで構成され、基端部に回動穴４１３が設けられている。本実施例のフック部材４１０の先端部には、携帯時の形態保持のための係合突起４１５が設けられている。又、本実施例では、フック部４１１の形状を鉤形としているが、フック部４１１の形状はこれに限られるものではない。
【００３５】
把持部材４３０は、把持部４３３と該杷持部の中央部から垂直に設けられたフック部材保護部４３４とで構成され、フック部材保護部４３４には側面にて開口するフック部材４１０収納のための中空部４３１が設けられ、基端部にはピン取付穴４３２が設けられている。又、把持部材４３０の中空部４３１の先端部には、フック部材４１０の係合突起４１５と係合する係合凹部４３５が設けられている。尚、本実施例では、中空部４３１の先端部は上面並びに一方の側面が開口しているが、中空部４３１はフック部材が収納できる形態であれば良い。
【００３６】
ピン４５０は、通常の円筒ピンで、把持部材４３０のピン取付穴４３２とフック部材４１０の回動穴４１３とを回動可能に保持している。
【００３７】
本実施例には、第１実施例と同様に係合環４７０が設けられており、本実施例をバッグ等に係合できる。
【００３８】
本実施例は携帯時においては、図７に示すように、フック部材４１０を把持部材４３０と平行に重なる位置に回動させてフック部材４１０が中空部４３１に収納された形態とする。本実施例では、フック部材４１０の係合突起４１５が把持部材４３０の係合凹部４３５と係合することにより、かかる形態を保持できる。
【００３９】
本実施例を使用するには、図８に示すように、フック部材４１０を１８０度逆の位置に回動させて全体をＴ字型とする。
【００４０】
本実施例においても、第１実施例から第３実施例と同様の効果が得られる。
第５実施例
図９及び図１０は請求項６及び請求項７に対応する第５実施例を示す図であり、５１０はフック部材、５３３は把持部材であり、何れもプラスチックの成形品である。
【００４１】
フック部材５１０は、下端にフック部５１１が設けられ、上端部にピン穴５１３を有する軸部５１２が設けられている。尚、本実施例では、フック部５１１の形状を鉤形としているが、フック部５１１の形状はこれに限られるものではない。
【００４２】
把持部材５３０は、把持部５３３と該杷持部５３３の中央部から垂直にかつ前後に設けられたフック部材保護部５３４とで構成され、フック部材保護部５３４の下端部から把持部５３３の中央部にかけてスライド穴５３１が設けられている。尚、本実施例では、スライド穴５３１を長孔としている。この他、携帯時の形態保持のためにフック部材５１０に係合突起５１５が設けられ、これに対応する把持部材５３０に係合凹部５３５が設けられている。
【００４３】
フック部材５１０は軸部５１２が把持部材５３０のスライド穴５３１内に摺動自在に収容され、ピン５５０をピン穴５１３に固定して両者を結合している。
【００４４】
本実施例においても係合環５７０が設けられており、バッグ等に係合できるようしている。但し、本実施例では把持部５３３の両端部に設けられている。
【００４５】
本実施例は携帯時においては、図９に示すように、ピン５５０の位置をスライド穴５３１の上端に合わせフック部材５１０がフック部材保護部５３４にて保護された形態であり、この時、係合突起５１５が把持部材５３０の係合凹部５３５に係合して図示した状態を保持している。
【００４６】
本実施例を使用するには、図１０に示すように、ピン５５０の位置をスライド穴５３１の上端に合わせて全体を足の長いＴ字型とする。
【００４７】
本実施例においても、第１実施例から第４実施例と同様の効果が得られる。
【００４８】
【発明の効果】
本発明は、使用時の形態が足の長いＴ字型であるため、特に大きな力が必要な時でも手が滑ることなく紐を締める作業が容易に行える一方、作業しないときにはコンパクトな形態に変形できて携帯に便利であることの効果がある。
【００４９】
特に本発明は、携帯時の形態においてフック部を隠蔽しているため、持ち歩く際の危険が軽減されることの効果がある。
【００５０】
又、本発明は何れも構造が簡易で製造が容易であるため、紐締め作業のための携帯用補助具の製造が容易かつ安価に行える。
【図面の簡単な説明】
【図１】第１実施例の携帯時の状態を示す図で（Ａ）は側面図、（Ｂ）は正面図。
【図２】第１実施例の使用時の状態を示す図で（Ａ）は変形途中の正面図、（Ｂ）は使用時の正面図、（Ｃ）はフック部の平面図。
【図３】第２実施例の携帯時の状態を示す図で（Ａ）が正面図、（Ｂ）が側面図。
【図４】第２実施例の使用時の状態を示す正面図。
【図５】第３実施例の携帯時の状態を示す図で（Ａ）は正面図、（Ｂ）は側面図。
【図６】第３実施例の使用時の状態を示す正面図。
【図７】第４実施例の携帯時の状態を示す図で（Ａ）は側面図、（Ｂ）は正面図。
【図８】第４実施例の使用時の状態を示す図で（Ａ）は側面図、（Ｂ）は正面図。
【図９】第５実施例の携帯時の状態を示す図で（Ａ）は側面図、（Ｂ）は正面図、（Ｃ）が底面図。
【図１０】第５実施例の使用時の状態を示す図で（Ａ）は側面図、（Ｂ）は正面図。
【符号の説明】
１１０  フック部材
１１１  フック部
１１２  フック部補強部
１１３  スライド穴
１１５  係合凹部
１３０  把持部材
１３１  中空部
１３２  ピン取付穴
１３５  係合突起
１５０  ピン
１７０  係合環
２１０  フック部材
２１１  フック部
２１３  回動穴
２１５  係合ピ突起
２３０  把持部材
２３１  中空部
２３２  ピン取付穴
２３５  係合穴
２５０  ピン
２７０  係合環
３１０  フック部材
３１１  フック部
３１３  回動穴
３３０  右把持部材
３３１  右中空部
３３２  回動接合部
３３３  右曲折部
３３５  係合突起
３３６  係合凹部
３４０  左把持部材
３４１  左中空部
３４２  回動接合部
３４３  左曲折部
３５０  ピン
３７０  係合環
４１０  フック部材
４１１  フック部
４１２  フック部補強部
４１３  回動穴
４１５  係合突起
４３０  把持部材
４３１  中空部
４３２  ピン取付穴
４３３  把持部
４３４  フック部材保護部
４３５  係合凹部
４５０  ピン
４７０  係合環
５１０  フック部材
５１１  フック部
５１２  軸部
５１３  ピン穴
５１５  係合突起
５３０  把持部材
５３１  スライド穴
５３３  把持部
５３４  フック部材保護部
５３５  係合凹部
５５０  ピン
５７０  係合環
【図１】
0003806184.tif 000002
【図２】
0003806184.tif 000003
【図３】
0003806184.tif 000004
【図４】
0003806184.tif 000005
【図５】
0003806184.tif 000006
【図６】
0003806184.tif 000007
【図７】
0003806184.tif 000008
【図８】
0003806184.tif 000009
【図９】
0003806184.tif 000010
【図１０】
0003806184.tif 000011